(57)【要約】【課題】  質の高い医療機関情報の提供を行なうことを通じて、適切な医療機関を確実に見つけることができる医療機関情報提供システム及び医療機関情報サーバを提供する。【解決手段】  医療機関情報提供サーバとクライアント端末とを有する医療機関情報提供システムであって、クライアント端末はユーザの検索条件を医療機関情報サーバに送信し、医療機関情報サーバは、クライアント端末から送信されたユーザの検索条件を満たす医療機関に関して、第１の所定項目が表された簡易情報を表示すると共に、第２の所定項目が表された詳細情報にアクセスするためのＵＲＬを表示する検索結果表示手段と、ＵＲＬ情報に基づいて表示された詳細情報へのアクセス数に応じて広告主である医療機関への広告掲載料を算出する課金手段とを備える。【選択図】    図１
2007026382.tif 000002
【特許請求の範囲】
【請求項１】
通信回線を介して接続された医療機関情報サーバ及びクライアント端末とを有し、医療機関に関する情報を提供する医療機関情報提供システムであって、
前記クライアント端末は、医療機関を検索するための検索条件を前記医療機関情報サーバに送信する送信手段を備え、
前記医療機関情報サーバは、前記クライアント端末から送信された検索条件を満たす医療機関に関して、第１の所定事項を表した簡易情報と、第２の所定事項を表した詳細情報を表示するためのアクセス情報を提供する検索結果表示手段と、
該検索結果表示手段により提供された前記アクセス情報に基づいて、前記詳細情報にアクセスしたユーザ数をカウントし、該ユーザ数に基づいて医療機関に対する情報掲載料金を算出する課金手段とを備える
医療機関情報提供システム。
【請求項２】
前記簡易情報は、所定の題目記載欄と、該題目記載欄に対応した医療機関情報記載欄から構成され、
前記医療機関情報記載欄は、少なくとも１箇所が未記載である
請求項１に記載の医療機関情報提供システム。
【請求項３】
前記簡易情報は、所定の題目記載欄と、該題目記載欄に対応した医療機関情報記載欄から構成され、
全ての医療機関情報記載欄には医療機関情報が記載された
請求項１に記載の医療機関情報提供システム。
【請求項４】
前記詳細情報は、所定の題目記載欄と、該題目記載欄に対応した医療機関情報記載欄から構成され、
前記医療機関情報記載欄は、少なくとも１箇所が未記載である
請求項１に記載の医療機関情報提供システム。
【請求項５】
前記詳細情報は、所定の題目記載欄と、該題目記載欄に対応した医療機関情報記載欄から構成され、
全ての医療機関情報記載欄には医療機関情報が記載された
請求項１に記載の医療機関情報提供システム。
【請求項６】
通信回線を介してクライアント端末と接続されると共に、医療機関に関する情報を提供する医療機関情報サーバであって、
前記クライアント端末から送信された医療機関を検索するための検索条件を満たす医療機関に関して、第１の所定事項を表した簡易情報と、第２の所定事項を表した詳細情報を表示するためのアクセス情報を提供する検索結果表示手段と、
該検索結果表示手段により提供された前記アクセス情報に基づいて、前記詳細情報にアクセスしたユーザ数をカウントし、該ユーザ数に応じて医療機関に対する情報掲載料金を算出する課金手段とを備える
医療機関情報サーバ。
【発明の詳細な説明】
【技術分野】
【０００１】
本発明は医療機関情報提供システム及び医療機関情報サーバに関する。詳しくは、客観性があり信頼性の高い医療機関に関する情報を提供する医療機関情報提供システム及び医療機関情報サーバに関する。
【背景技術】
【０００２】
一般に、例えば風邪などにかかった人が診療を受けようとする場合、近隣に以前にかかった病院や診療所などを知っていればそこの医療機関に行くが、引っ越したばかりのときや出張先などでは近所にどのような医療機関があるのかわからない様な場合に、電話帳で近くの医療機関を調べて診察を受けていることが多い。
【０００３】
ところで、（１）医療は人の生命・身体に関わるサービスであり、不当な広告により見る側が誘引され、不適当なサービスを受けた場合の被害は他の分野に比べて著しいこと、（２）医療は極めて専門性の高いサービスであり、広告の受け手はその文言から提供される実際のサービスの質について事前に判断することが非常に困難であること等の理由から、医療に関する広告については、利用者保護の観点から原則として、医療機関や医業等に関する広告は禁止され、事実や客観的な情報として個別に定められた事項についてのみ広告できることとされている（医療法第６９条、非特許文献１参照。）。
【０００４】
具体的には、産婦人科の病院紹介（広告）を行なうにあたって、
「当院では以下の特殊療法を行なっています。
ａ．無痛分娩
全身麻酔法
硬膜外麻酔法
陰部神経ブロック法
ｂ．メディカルアロマテラピー
美容と健康の為の植物自然療法です。」
といった広告文を使用することについて考えると、ａについては、「医療の内容」に関するものであるために広告が認められず、ｂについては、医療の内容に関するものであると共に医学的、社会的に評価が定まっていないものであるために広告が認められない。
【０００５】
同様に、皮膚科の病院紹介を行なうにあたって、
「当院は以下の治療を行なっています。
・レーザー脱毛
・ミックスレーザー脱毛
レーザー脱毛及び針の組み合わせによる脱毛法
・フォトＲＦ誕生
最新の美肌治療法です。」
といった広告が認められず、眼科の病院紹介を行なうにあたって、
「・外来白内障手術をうけてみませんか
・レーザー治療の専門スタッフ常駐」
といった広告が認められず、歯科の病院紹介を行なうにあたって、
「・インプラント治療で入れ歯とおさらば
・ブリーチングで白い歯に！！
・オールセラミックで自然な歯列を！
・ラミネートベニア法・・・材質を選べます」
といった広告が認められない。
【０００６】
また、医師の紹介欄に「認定医」や「専門医」といった広告が認められておらず、医師以外の医療スタッフについてはその員数のみの記載しか広告が認められていなかった。
【０００７】
ところで、近年では、ネットワーク利用によるＩＴ（情報通信技術）案内（具体的には、ホームページによる医療機関の広告情報）で近くの医療機関を調べて診察を受けることもある。なお、ホームページによる広告については、上記した医療法による制約を受けないために自由な広告を行なうことができる。
【０００８】
【非特許文献１】医業若しくは歯科医業又は病院若しくは診療所に関して広告することができる事項、厚生労働省告示第百五十八号、インターネット＜ＵＲＬ：http://wwwhourei.mhlw.go.jp/cgi-bin/t_docframe.cgi?MODE=hourei&DMODE=CONTENTS&SMODE=NORMAL&KEYWORD=&EFSNO=167＞
【発明の開示】
【発明が解決しようとする課題】
【０００９】
しかしながら、医療法による広告規制を受ける広告方法、即ち、電話帳等による広告の場合には、医療機関名や住所・電話番号及び診療科目・診療時間程度しか情報を記載することができず、患者側が真に知りたい情報を伝えるという点において充分であるとは言い難い。
【００１０】
一方、医療法による広告規制を受けない広告方法、即ち、ホームページによる広告の場合には、患者側が真に知りたい情報を伝えるという点においては充分であるかもしれないが、医療機関側に都合の良い事項のみを発信しており、医療法による制約を受けていないからこその情報の質の問題が生じてくると考えられる。
【００１１】
本発明は以上の点に鑑みて創案されたものであって、提供する医療機関に関する情報の質の向上を図り、適切な医療機関を確実に見つけることができる医療機関情報提供システム及び医療機関情報サーバを提供することを目的とするものである。
【課題を解決するための手段】
【００１２】
上記の目的を達成するために、本発明に係る医療機関情報提供システムは、通信回線を介して接続された医療機関情報サーバ及びクライアント端末とを有し、医療機関に関する情報を提供する医療機関情報提供システムであって、前記クライアント端末は、医療機関を検索するための検索条件を前記医療機関情報サーバに送信する送信手段を備え、前記医療機関情報サーバは、前記クライアント端末から送信された検索条件を満たす医療機関に関して、第１の所定事項を表した簡易情報と、第２の所定事項を表した詳細情報を表示するためのアクセス情報を提供する検索結果表示手段と、該検索結果表示手段により提供された前記アクセス情報に基づいて、前記詳細情報にアクセスしたユーザ数をカウントし、該ユーザ数に基づいて医療機関に対する情報掲載料金を算出する課金手段とを備える。
【００１３】
また、上記の目的を達成するために、本発明に係る医療機関情報サーバは、通信回線を介してクライアント端末と接続されると共に、医療機関に関する情報を提供する医療機関情報サーバであって、前記クライアント端末から送信された医療機関を検索するための検索条件を満たす医療機関に関して、第１の所定事項を表した簡易情報と、第２の所定事項を表した詳細情報を表示するためのアクセス情報を提供する検索結果表示手段と、該検索結果表示手段により提供された前記アクセス情報に基づいて、前記詳細情報にアクセスしたユーザ数をカウントし、該ユーザ数に応じて医療機関に対する情報掲載料金を算出する課金手段とを備える。
【００１４】
ここで、検索結果表示手段によって第１の所定事項を表した簡易情報が提供されることによって、即ち、検索結果表示手段によって任意の情報ではなく全ての医療機関に共通である第１の所定事項が表された簡易情報が提供されることによって、医療機関にとって都合良い情報のみを提供するといった医療機関側からの一方通行的な情報提供ではなく、客観性の高い情報を提供することができ、提供する医療機関情報の質の向上を図ることができる。
同様に、検索結果表示手段によって第２の所定事項を表した詳細情報を表示するためのアクセス情報（例えば、ＵＲＬ等）が提供されることによって、即ち、検索結果表示手段によって提供されるアクセス情報に基づいて、任意の情報ではなく全ての医療機関に共通である第２の所定事項が表された詳細情報を表示することができるために、医療機関にとって都合の良い情報のみを提供するといった医療機関側からの一方通行的な情報提供ではなく、客観性の高い情報を提供することができ、提供する医療機関情報の質の向上を図ることができる。
なお、課金手段は、検索結果表示手段により提供されたアクセス情報に基づいて、詳細情報にアクセスしたユーザ数をカウントし、このユーザ数に基づいて医療機関に対する情報掲載料金を算出するために、即ち、課金手段は簡易情報を表示した時点で課金を行なうのではなく、アクセス情報に基づいて詳細情報を表示した時点で課金を行なうために、第１の所定項目を表した簡易情報として提供する情報（無料を前提として提供する情報）と第２の所定項目を表した詳細情報として提供する情報（有料の前提として提供する情報）は、いかなる情報の提供まで無料で対応が可能であるかという観点から決められることとなる。
【００１５】
また、簡易情報が、所定の題目記載欄と、この題目記載欄に対応すると共に医療機関に関する所定の情報を記載する医療機関情報記載欄から構成され、医療機関情報記載欄は、少なくとも１箇所が未記載であることによって、即ち、簡易情報に記載すべき項目である医療機関情報に関する未記載（空欄を表示）を認めることによって、医療機関情報に関して提供する情報と提供しない情報とを医療機関側によって選択することができ、医療機関側の自由度が増すために、医療機関によるシステムの利用が促進され、本システムを利用する医療機関数が増大し、多数の医療機関情報を提供することが可能となる。なお、医療機関情報記載欄の未記載を認めたとしても、題目記載欄に対応して未記載（空欄を表示）としているために、システムのユーザにとっては、医療機関が意図的に未記載にしているという事実を認識することができ、その意味においてある程度の制約を課しているということができ、提供する医療機関情報の質は担保することができるものである。
同様に、詳細情報についても、所定の題目記載欄と、この題目記載欄に対応すると共に医療機関に関する所定の情報を記載する医療機関情報記載欄から構成され、医療機関情報記載欄は、少なくとも１箇所が未記載であることによって、医療機関によるシステムの利用が促進され、本システムによって多数の医療機関情報を提供することが可能となる。
【００１６】
一方、簡易情報が、所定の題目記載欄と、この題目記載欄に対応すると共に医療機関に関する所定の情報を記載する医療機関情報記載欄から構成され、全ての医療機関情報記載欄には医療機関情報が記載されたことによって、即ち、簡易情報に記載すべき項目である医療機関情報に関する未記載（空欄を表示）は一切認めることなく、全ての医療機関情報を必須の記載事項とすることによって、医療機関情報に関して提供する情報と提供しない情報とを医療機関側によって選択する余地が無くなり、医療機関側の自由度は制限されるものの、全ての医療機関が全ての医療機関情報を表示していることとなり、提供する医療機関情報の質が飛躍的に向上することが期待できる。
同様に、詳細情報についても、所定の題目記載欄と、この題目記載欄に対応すると共に医療機関に関する所定の情報を記載する医療機関情報記載欄から構成され、全ての医療機関情報記載欄には医療機関情報が記載されたことによって、全ての医療機関情報が必須の記載事項となり、提供する医療機関情報の質が飛躍的に向上することが期待できる。
【発明の効果】
【００１７】
上記した本発明の医療機関情報提供システム及び医療機関情報サーバでは、提供する医療機関に関する情報の質を向上させ、適切な医療機関を確実に見つけることができる。
【発明を実施するための最良の形態】
【００１８】
以下、本発明の実施の形態について図面を参照しながら説明し、本発明の理解に供する。
図１は本発明を適用した医療機関情報提供システムの一例を説明するためのブロック図を示す。ここで示すクライアント端末１はインターネット２を介して医療機関情報サーバ３と相互に通信が可能であるように構成されている。
ここで、クライアント端末と医療機関情報サーバとの通信は、クライアント端末が医療機関情報サーバにアクセスすることが可能であれば充分であり、必ずしもインターネット接続を利用する必要はないのであって、ＬＡＮ（Ｌｏｃａｌ  Ａｒｅａ  Ｎｅｔｗｏｒｋ）接続等を利用しても良い。
【００１９】
ここで、クライアント端末は、検索情報送信手段４を有し、検索情報送信手段は、ユーザが情報の提供を希望する医療機関の条件を医療機関情報サーバに検索情報として送信できるように構成されている。具体的には、医療機関の所在地、医療機関に属する医師の専門分野、医師の出身大学、女医の存在の有無、各種専門医の存在の有無といった医療機関を特定するための検索条件を医療機関情報サーバに検索条件として送信できるように構成されている。
【００２０】
また、医療機関情報サーバは、医療機関情報登録手段５、医療機関情報検索手段６、検索結果表示手段７及び課金手段８を有し、医療機関情報登録手段には、医療機関に関する情報（具体的には、医療機関の所在地、医療機関に属する医師の専門分野、医師の出身大学、女医の存在の有無、各種専門医の存在の有無等々）のデータが保存できる様に構成されており、医療機関情報検索手段は、クライアント端末の検索情報送信手段によって送信された検索情報に基づいて、医療機関情報登録手段に保存された医療機関情報の中から、ユーザが取得を希望する医療機関の条件を満たす情報、即ち、ユーザが検索の対象とした医療機関情報を検索することができるように構成されている。
また、検索結果表示手段は、検索の結果を簡易情報と詳細情報に分けてホームページ上で表示するように構成されており、具体的には、例えば、検索の結果、検索条件を満足する医療機関の（１）医療機関名、（２）住所、（３）電話番号については簡易情報と位置づけ、（１）特殊な療法や特殊な装置の存在等の医療機関それぞれのアピールメッセージ、（２）医師の学歴、（３）医師の臨床歴、（３）医師の付帯肩書き（博士号、認定等々）、（４）医師以外のスタッフの紹介、（５）診療科目、（６）診療時間、（７）空きベッド数、（８）連携主要医療機関、（９）医療機関へのアクセス方法（地図）については詳細情報と位置づけるといった具合に簡易情報と詳細情報を分けてホームページ上で表示するように構成されている。なお、詳細情報については、簡易情報と併せて表示されるＵＲＬをクリックすることによって、表示がなされるように構成されている。
また、課金手段は、検索結果表示手段によって表示されたＵＲＬをユーザがクリックすることによって詳細情報を表示した回数（即ち、詳細情報へのユーザのアクセス数）をカウントし、アクセス数に基づいて本システムで情報の提供を行なっている医療機関に対して情報掲載料（医療機関の広告料）としての料金を算出することができるように構成されている。
【００２１】
以下、本発明を適用した医療機関情報提供システムの一例を用いてユーザの希望する条件を満たす医療機関情報を提供するまでの具体的な流れについて説明を行う。
【００２２】
（１．医療機関の募集）
本発明を適用した医療機関情報提供システムの一例を用いて医療機関情報を提供するにあたっては、先ず、本システムの提供者が、本システムを用いて医療機関情報の提供を行なう医療機関の募集を行なう。
ここで、簡易情報及び詳細情報の作成費用や、本システムの使用料等を一切発生させず、医療機関の詳細情報へのアクセス数に応じてのみ課金するシステムとすることで、即ち、実際に医療機関の詳細情報へのアクセスがあった場合にのみ課金する（更に、必要に応じて課金額にも一定の上限（例えば、月額３８００円を上限）を設定する）システムにすることで広告費用（医療機関情報を提供するための費用）及びホームページの維持管理の繁雑さ等の面でインターネットを利用した広告情報の提供に踏み切れなかった医療機関の参入をも見込め、本システムのユーザ側からすると、ごく一部の医療機関の情報しかインターネットでは入手できなかったという現状と比較すると、より多くの情報を得ることが可能となり、医療機関に関する情報量の面での充実を図ることができると考えられる。
なお、本システムの稼動にあたっては、ある程度の費用が必然的に生じることとなり、かかる費用を考慮した上で、詳細情報へのアクセス数に応じて課金する金額を定めることとする。
【００２３】
（２．簡易情報の作成、詳細情報の作成）
続いて、本システムを用いて医療機関情報の提供を行なう医療機関についての医療機関情報の作成を行うべく、所定の項目に関するヒアリング等を行ない、図２（ａ）で示す様な簡易情報及び図２（ｂ）で示す様な詳細情報を作成する。
具体的には、簡易情報には医療機関の「医療機関名（病院名）」、「住所」及び「電話番号」を表すこととし、詳細情報には簡易情報で表した項目に加えて「医師の経歴・資格」、「医療機関からメッセージ」、「診療案内」、「診療科目」、「設備」、「スタッフ紹介」及び「アクセス」を表すこととする。
なお、本実施例では、詳細情報の全ての項目について医療機関に関する情報を記載した場合を例に挙げて説明を行ったが、項目名のみを記載して医療機関に関する情報については未記載（空欄を表示）としても良い。具体的には、「医師の資格」及び「設備」について未記載とした例を図２（ｃ）に示す。
【００２４】
（３．医療機関の検索、表示）
以上の様にして、医療機関情報サーバの準備が整った段階で、クライアント端末からの検索を行なう。具体的には、クライアント端末からの検索条件を受信した医療機関情報サーバは、条件を満たす医療機関の簡易情報及び条件を満たす医療機関の詳細情報を表示するためのＵＲＬ（実際の表示としては、「→詳細情報」といった様にＵＲＬそのものを表示するのではなく、詳細情報へのリンク）を表示し（図３参照。）、ユーザは簡易情報の記載に基づいて、詳細情報を閲覧してみたい医療機関を選択し、簡易情報一覧中の「詳細情報」をクリックして詳細情報を表示する。即ち、図３で示す様な簡易情報の一覧の中からユーザが選択した医療機関について図２（ｂ）に示す様な詳細情報を提供するのである。
なお、本システムでは、医療機関情報を提供する医療機関から徴収する料金によって運営を行なうものであり、ユーザが本システムを利用するにあたっての料金は発生しない。
【００２５】
（４．医療機関への請求）
本システム稼動後は、定期的に、本システムを用いて医療機関情報の提供を行なう医療機関に対して詳細情報の表示回数に応じた料金の徴収を行なう。即ち、簡易情報で表された「→詳細情報」をクリックし、医療機関の詳細情報の表示が行なわれた回数に応じて広告料を徴収する。
【００２６】
本発明を適用した医療機関情報提供システムでは、ホームページを利用した広告であるために、医療法による制約を受けることなく、患者側が知りたいと思うであろう情報を掲載することができ、質の高い医療機関情報を提供することができる。
また、ホームページを作成するにあたっての知識、経費の面が不充分であり、自施設を積極的に広告することができなかった医療機関にも情報伝達の機会を付与することができ、利用者数の増加を通じて、量の面でも充分な医療機関情報を提供することができる。
【図面の簡単な説明】
【００２７】
【図１】本発明を適用した医療機関情報提供システムの一例を説明するためのブロック図である。
【図２（ａ）】医療機関情報サーバから提供される簡易情報の一例を説明するための模式図である。
【図２（ｂ）】医療機関情報サーバから提供される詳細情報の一例を説明するための模式図である。
【図２（ｃ）】医療機関情報サーバから提供される詳細情報の変形例を説明するための模式図である。
【図３】簡易情報の一覧を説明するための模式図である。
【符号の説明】
【００２８】
１    クライアント端末
２    インターネット
３    医療機関情報サーバ
４    検索情報送信手段
５    医療機関情報登録手段
６    医療機関情報検索手段
７    検索結果表示手段
８    課金手段
【図１】
2007026382.tif 000003
【図２（ａ）】
2007026382.tif 000004
【図２（ｂ）】
2007026382.tif 000005
【図２（ｃ）】
2007026382.tif 000006
【図３】
2007026382.tif 000007